(57)【要約】  【課題】  耳垢清掃効果を向上させる耳清掃具を提供する。  【解決手段】  耳を清掃するための清掃部を有する耳清掃具であって、ベース部と、前記ベース部の少なくとも一部に複数の繊維が植毛されて形成される植毛層と、を含み、前記清掃部は、前記ベース部及び前記植毛層により構成される耳清掃具。【選択図】  図１
2018086213.tif 000002
【特許請求の範囲】
【請求項１】
耳を清掃するための清掃部を有する耳清掃具であって、
ベース部と、
前記ベース部の少なくとも一部に複数の繊維が植毛されて形成される植毛層と、を含み、
前記清掃部は、前記ベース部及び前記植毛層により構成される
ことを特徴とする耳清掃具。
【請求項２】
請求項１に記載の耳清掃具であって、
前記ベース部は、略球体状、略楕円球体状、又は長手方向に直交する断面が楕円形状である板状である
ことを特徴とする耳清掃具。
【請求項３】
請求項１又は２に記載の耳清掃具であって、
前記清掃部は、掃出部を含み、
前記掃出部は、前記ベース部の外周面における前記植毛層により構成される
ことを特徴とする耳清掃具。
【請求項４】
請求項１〜３のいずれか一項に記載の耳清掃具であって、
前記清掃部は、外収容部を含み、
前記ベース部は、外周面が凹下して形成される凹部を含み、
前記外収容部は、前記凹部及び前記凹部における前記植毛層により構成される
ことを特徴とする耳清掃具。
【請求項５】
請求項４に記載の耳清掃具であって、
前記凹部における前記植毛層は、外周面における前記植毛層より植毛密度が低い
ことを特徴とする耳清掃具。
【請求項６】
請求項１〜３のいずれか一項に記載の耳清掃具であって、
前記清掃部は、外収容部を含み、
前記ベース部は、外周面が凹下して形成される凹部を含み、
前記外収容部は、植毛されていない前記凹部により構成される
ことを特徴とする耳清掃具。
【請求項７】
請求項１〜３のいずれか一項に記載の耳清掃具であって、
前記清掃部は、複数の外収容部を含み、
前記ベース部は、長手方向に伸びる複数のリブが設けられ、隣り合う前記リブの間に長手方向に伸びる溝部が形成され、
複数の前記外収容部は、複数の前記溝部及び前記溝部における前記植毛層により構成される
ことを特徴とする耳清掃具。
【請求項８】
請求項７に記載の耳清掃具であって、
前記溝部における前記植毛層は、前記リブにおける前記植毛層より植毛密度が低い
ことを特徴とする耳清掃具。
【請求項９】
請求項１〜３のいずれか一項に記載の耳清掃具であって、
前記清掃部は、複数の外収容部を含み、
前記ベース部は、長手方向に伸びる複数のリブが設けられ、隣り合う前記リブの間に長手方向に伸びる溝部が形成され、
複数の前記外収容部は、植毛されていない複数の前記溝部により構成される
ことを特徴とする耳清掃具。
【請求項１０】
請求項１〜９のいずれか一項に記載の耳清掃具であって、
前記清掃部は、内収容部を含み、
前記ベース部は、穴部を含み、
前記内収容部は、前記ベース部の前記穴部及び前記穴部における前記植毛層により構成される
ことを特徴とする耳清掃具。
【請求項１１】
請求項１０に記載の耳清掃具であって、
前記穴部における前記植毛層は、外周面における前記植毛層より植毛密度が低い
ことを特徴とする耳清掃具。
【請求項１２】
請求項１〜９のいずれか一項に記載の耳清掃具であって、
前記清掃部は、内収容部を含み、
前記ベース部は、穴部を含み、
前記内収容部は、植毛されていない前記穴部により構成される
ことを特徴とする耳清掃具。
【請求項１３】
請求項１〜１２のいずれか一項に記載の耳清掃具であって、
前記植毛層は、長さが異なる２種類以上の繊維が植毛されて形成される
ことを特徴とする耳清掃具。
【請求項１４】
請求項１〜１３のいずれか一項に記載の耳清掃具であって、
前記耳清掃具は、さらに、前記ベース部を支持する支持部を含み、
前記支持部には、植毛領域を区画するための段差部が設けられる
ことを特徴とする耳清掃具。
【請求項１５】
請求項１〜１４のいずれか一項に記載の耳清掃具であって、
前記耳清掃具は、さらに、柄部を含む
ことを特徴とする耳清掃具。
【発明の詳細な説明】
【技術分野】
【０００１】
本発明は、耳清掃具に関する。
【背景技術】
【０００２】
従来、耳垢を清掃するために綿棒や耳かきが用いられており、例えば、「耳垢を掻く部分が、細長のスプーン型形状である」耳掻きが提案されている（特許文献１）。
【先行技術文献】
【特許文献】
【０００３】
【特許文献１】特開２００６−１７５１９５号公報
【発明の概要】
【発明が解決しようとする課題】
【０００４】
しかしながら、綿棒は、ウエットタイプの耳垢には好適であるものの、粉状の乾燥した耳垢の清掃には向いていない。一方、上記スプーン状の耳掻きは、「耳掻き部分及び全体が折れたり曲ったりしない硬い材質の、竹、プラスチック、金属、木材、ガラス、カーボンを使用する」ため、外耳道等を傷つけやすい。
【０００５】
本発明は、上記課題の少なくとも一つを解決するためのもので、耳垢清掃効果を向上させる耳清掃具を提供することを目的とする。
【課題を解決するための手段】
【０００６】
上記課題を解決するために、本願に係る耳清掃具は、耳を清掃するための清掃部を有する耳清掃具であって、ベース部と、前記ベース部の少なくとも一部に複数の繊維が植毛されて形成される植毛層と、を含み、前記清掃部は、前記ベース部及び前記植毛層により構成される。
【０００７】
また、前記ベース部は、略球体状、略楕円球体状、又は長手方向に直交する断面が楕円形状である板状であってもよい。
【０００８】
また、前記清掃部は、掃出部を含み、前記掃出部は、前記ベース部の外周面における前記植毛層により構成されてもよい。
【０００９】
また、前記清掃部は、外収容部を含み、前記ベース部は、外周面が凹下して形成される凹部を含み、前記外収容部は、前記凹部及び前記凹部における前記植毛層により構成されてもよい。
【００１０】
また、前記凹部における前記植毛層は、外周面における前記植毛層より植毛密度が低いものであってよい。
【００１１】
また、前記清掃部は、外収容部を含み、前記ベース部は、外周面が凹下して形成される凹部を含み、前記外収容部は、植毛されていない前記凹部により構成されてもよい。
【００１２】
また、前記清掃部は、複数の外収容部を含み、前記ベース部は、長手方向に伸びる複数のリブが設けられ、隣り合う前記リブの間に長手方向に伸びる溝部が形成され、複数の前記外収容部は、複数の前記溝部及び前記溝部における前記植毛層により構成されてもよい。
【００１３】
また、前記溝部における前記植毛層は、前記リブにおける前記植毛層より植毛密度が低いものであってもよい。
【００１４】
また、前記清掃部は、複数の外収容部を含み、前記ベース部は、長手方向に伸びる複数のリブが設けられ、隣り合う前記リブの間に長手方向に伸びる溝部が形成され、複数の前記外収容部は、植毛されていない複数の前記溝部により構成されてもよい。
【００１５】
また、前記清掃部は、内収容部を含み、前記ベース部は、穴部を含み、前記内収容部は、前記ベース部の前記穴部及び前記穴部における前記植毛層により構成されてもよい。
【００１６】
また、前記穴部における前記植毛層は、外周面における前記植毛層より植毛密度が低いものであってもよい。
【００１７】
また、前記清掃部は、内収容部を含み、前記ベース部は、穴部を含み、前記内収容部は、植毛されていない前記穴部により構成されてもよい。
【００１８】
また、前記植毛層は、長さが異なる２種類以上の繊維が植毛されて形成されてもよい。
【００１９】
また、前記耳清掃具は、さらに、前記ベース部を支持する支持部を含み、前記支持部には、植毛領域を区画するための段差部が設けられてもよい。
【００２０】
また、前記耳清掃具は、さらに、柄部を含んでもよい。
【発明の効果】
【００２１】
本発明によれば、耳垢清掃効果を向上させる耳清掃具を提供することができる。
【図面の簡単な説明】
【００２２】
【図１】実施形態１に係る耳清掃具を示す図である。
【図２】実施形態１に係る耳清掃具の製造方法を示す図である。
【図３】実施形態１の変形例１に係る耳清掃具を示す図である。
【図４】実施形態２に係る耳清掃具を示す図である。
【図５】実施形態３に係る耳清掃具を示す図である。
【図６】実施形態４に係る耳清掃具を示す図である。
【図７】実施形態４に係る耳清掃具を示す図で、図６におけるＡＡ線断面図ある。
【図８】実施形態５に係る耳清掃具を示す図である。
【図９】実施形態６に係る耳清掃具の一例を示す図である。
【図１０】実施形態６に係る耳清掃具の一例を示すで、図１０におけるＡＡ線断面図ある。
【図１１】実施形態６に係る耳清掃具の他の一例を示す図である。
【図１２】実施形態７に係る耳清掃具を示す図である。
【図１３】実施形態７に係る耳清掃具を示す図で、図１２におけるＡＡ線断面図ある。
【発明を実施するための形態】
【００２３】
以下、図面を参照して本願に係る耳清掃具の実施形態の例を説明する。
【００２４】
＜実施形態１＞
図１は、実施形態１に係る耳清掃具１の構成を説明するための図で、図２（ａ）及び図２（ｂ）は耳清掃具１の製造方法を説明するための図である。
【００２５】
耳清掃具１は、ベース部２と、支持部３と、植毛層５とを含む。直接耳に接触して耳垢を清掃するための清掃部１０は、ベース部２及び植毛層５により構成される。
【００２６】
耳清掃具１は、さらに、柄部４を含んで、ベース部２が、図示のように支持部３を介して柄部４に接続されてもよい。
【００２７】
ベース部２は、例えば、図示のように略球体状に形成される。一例として、ベース部２の最大幅（直径）は、１ｍｍ〜６ｍｍであり、より好ましくは、２ｍｍ〜４ｍｍである。
【００２８】
支持部３は、一例として、図示のように略棒状に形成され、長手方向の一端にベース部２が配置され、他端が柄部４と接続される。支持部３は、柄部４と係合するための支持部側係合部３１を有し、ここでは、図示のように、支持部側係合部３１は、他端端部付近の外周面を一周する溝状に形成される。
【００２９】
柄部４は、一例として、図示のように略円柱体状に形成され、その中心部に支持部３を挿入するための挿入部４１が設けられる。挿入部４１は、柄部４の全長を貫通する貫通孔として設けられてもよいし、図示のように全長の一部に挿入孔が開けられてもよい。挿入部４１は、支持部側係合部３１に対応した位置に柄部側係合部４２が設けられる。柄部側係合部４２は、例えば、図示のように、挿入部４１の壁面から内側に突出する凸部として形成される。なお、柄部４は、清掃部１０を機能させるものであればよく、その形態は特に限定されるものではない。
【００３０】
植毛層５は、複数の短い繊維（パイル）がベース部２に植毛されて形成される層である。後述のように、ここでは、静電植毛法が用いられる。繊維の糸の太さは、８ミクロン〜３０ミクロン程度であり、より好ましくは、１０ミクロン〜２０ミクロン程度である。また、繊維の糸の長さは、２ｍｍ〜６ｍｍ程度であり、より好ましくは、３．５ｍｍ〜４．５ｍｍであり、４ｍｍ程度が最適である。
【００３１】
一例として、耳清掃具１の製造は、造形工程と、静電植毛工程と、組立工程を含む。造形工程では、ベース部２と支持部３と柄部４とが形作られる。一例として、樹脂素材を用いて射出成型等で形作ることができる。
【００３２】
静電植毛工程では、図２（ａ）に示すように、静電植毛法を用いてベース部２に植毛層５を被着させる。より具体的には、例えば、植毛対象部位であるベース部２以外はマスキングしてスプレーガン等で接着剤を塗布し、３万ボルト〜８万ボルトの高い電圧をかけて静電気の力を利用して繊維をベース部２に植え付けた後、余分な繊維を除去する。繊維には、例えば、ナイロン製のもの、レーヨン、ポリエステル等が用いられる。
【００３３】
組立工程では、図２（ｂ）に示すように、支持部３を柄部４の挿入部に挿入し、支持部側係合部３１と柄部側係合部４２とを係合させ（嵌め込んで）、固定させて、耳清掃具を組み立てる。柄部側係合部４２は、熱を加えて突起状に形成してもよいし、後から別材を埋め込んで形成してもよい。なお、以上では、支持部側係合部３１が溝状で、柄部側係合部４２が凸部であるものとして説明したが、その逆でもよいことは言うまでもない。また、支持部３と挿入部４１との嵌合力を高めて、支持部側係合部３１を省く構成としてもよい。さらには、接着や熱溶着等の方法を用いてもよい。
【００３４】
本実施形態では、直接耳に接触して耳垢を清掃するための清掃部１０は、ベース部２及び植毛層５により構成される。なお、ここでは、清掃部１０は、主に、ベース部２の外周面における植毛層を用いて外耳道内の耳垢を掃き出すことで、耳垢を清掃する。言い換えれば、ここでは、ベース部２の外周面における植毛層が耳垢を掃き出す掃出部を構成する。
【００３５】
耳清掃具１は、耳垢を掃き出すように清掃するため、粉状の乾燥した耳垢の清掃に向いている。また、外耳道に直接に接触する部分には、植毛層が被着されているため、外耳道を傷つけることなく、快適に作業をすることができる。
【００３６】
＜実施形態１の変形例１＞
図３は、実施形態１の変形例１に係る耳清掃具１ａを説明するための図である。耳清掃具１ａは、ベース部２ａ、支持部３ａ及び柄部４ａ、植毛層５ａが実施形態１に係る耳清掃具１と異なる。以下では、上記実施例と同様な構成については、説明を省略する。
【００３７】
図示のように、ベース部２ａは、略楕円球体状に形成される。これにより、より広範囲に外耳道と接触することができ、効果的に作業を行うことができる。
【００３８】
支持部３ａは、図示のように、さらに、支持部側係合部３１に凹部３２ａが設けられる。対応して、柄部４ａには、図示のように、さらに、外周面が凹下して形成される凹部４３ａが設けられる。これによって、支持部３ａと柄部４ａとを係合させる際に、さらに、凹部３２ａと凹部４３ａとを嵌合させることで、ベース部２ａが柄部４ａに対して回転することを抑制できる。
【００３９】
支持部３ａには、植毛領域を区画するための段差部３３ａが設けられる。段差部３３ａを設けることにより、植毛工程において、マスキングテープを巻きやすくする等マスキング作業がしやすくなる。段差部３３ａは、支持部３ａの本体との間で段差が形成する形状とし、一例として、ベース部２ａから支持部３ａに移行する形状とすることができる。例えば、図示のように段差部３３ａはその最大幅が、ベース部２ａよりは小さく、支持部３ａよりは大きく形成することができる。なお、図示の段差部３３ａにも植毛層が形成されているが、その一部又は全部に植毛層が形成されていなくてもよい。
【００４０】
植毛層５ａは、長さが異なる２種類の繊維５１ａ、５２ａが植毛されて形成される。長さが異なる２種類の繊維を用いることで、植毛層をバランスよく形成ことができる。また、繊維５１ａ、５２ａは、長さに応じて太さも適宜調整してもよい。効率よく確実に植毛するために、長い繊維は太くする必要があるが、太くすると柔らかさも低減するので、異なる長さ・太さの２種類の繊維を用いることで、柔らかさのバランスも調整することができる。なお、３種類以上の長さが異なる繊維を用いてもよい。
【００４１】
また、植毛層５ａには、同じ長さの２種類の異なる素材の繊維を用いてもよい。同じ長さでも素材によって感触が異なるため、２種類の素材を用いてそのバランスを調整することができる。
【００４２】
＜実施形態２＞
図４は、実施形態２に係る耳清掃具１ｂを説明するための図である。耳清掃具１ｂは、ベース部２ｂ及び植毛層５ｂが実施形態１に係る耳清掃具１と異なる。以下では、上記実施例と同様な構成については、説明を省略する。
【００４３】
ベース部２ｂは、図示のように、長手方向に直交する断面が略楕円形状である板状に形成される。一例として、ベース部２ｂの最大幅ｍは、２．５ｍｍ〜４ｍｍであり、より好ましくは、３ｍｍ〜３．５ｍｍである。また、一例として、ベース部２ｂの長手方向の長さｎは、５ｍｍ〜１５ｍｍであり、より好ましくは、６ｍｍ〜１０ｍｍである。
【００４４】
植毛層５ｂは、複数の短い繊維（パイル）が静電植毛法によってベース部２ｂに植毛されて形成される層である。繊維の糸の太さは、８ミクロン〜２０ミクロン程度であり、より好ましくは、１０ミクロン〜１６ミクロン程度である。また、繊維の糸の長さは、０．３ｍｍ〜２ｍｍ程度であり、より好ましくは、０．５ｍｍ〜１．５ｍｍ程度である。
【００４５】
本実施形態では、直接耳に接触して耳垢を清掃するための清掃部１０ｂは、ベース部２ｂ及び植毛層５ｂにより構成される。なお、ここでは、清掃部１０ｂは、主に、ベース部２ｂの外周面における植毛層を用いて外耳道内の耳垢を掃き出すことで、耳垢を清掃する。言い換えれば、ここでは、ベース部２ｂの外周面における植毛層が耳垢を掃き出す掃出部を構成する。
【００４６】
耳清掃具１ｂは、耳垢を掃き出すように清掃するため、粉状の乾燥した耳垢の清掃に向いている。また、外耳道に直接に接触する部分には、植毛層が被着されているため、外耳道を傷つけることなく、快適に作業をすることができる。
【００４７】
また、繊維の長さをより短くすることで、掃出し効果に加えて、粉状の耳垢を外耳道から剥がす効果も得られる。より短い繊維がより高い密度で植毛される植毛層とすることで、清掃効果を高めることができる。
【００４８】
＜実施形態３＞
図５は、実施形態３に係る耳清掃具１ｃを説明するための図である。耳清掃具１ｃは、ベース部２ｃ及び植毛層５ｃが実施形態２に係る耳清掃具１ｂと異なる。以下では、上記実施例と同様な構成については、説明を省略する。
【００４９】
ベース部２ｃは、図示のように、外周面が凹下して形成される凹部２１ｃを含む。一例として、ベース部２ｃは、図示のように、略匙状に形成され、支持部３と所定の角度をなすように形成される。
【００５０】
植毛層５ｃは、複数の短い繊維（パイル）が静電植毛法によってベース部２ｃに植毛されて形成される。繊維の糸の太さは、８ミクロン〜２０ミクロン程度であり、より好ましくは、１０ミクロン〜１６ミクロン程度である。また、繊維の糸の長さは、０．３ｍｍ〜２ｍｍ程度であり、より好ましくは、０．５ｍｍ〜１．５ｍｍ程度である。
【００５１】
本実施形態では、直接耳に接触して耳垢を清掃するための清掃部１０ｃは、耳垢を掃き出す掃出部１１ｃと、耳垢を収容する外収容部１２ｃを含む。掃出部１１ｃは、ベース部２ｃの外周面における植毛層によって構成される。外収容部１２ｃは、凹部２１ｃ及び凹部２１ｃにおける植毛層によって構成される。ここでは、凹部２１ｃにおける植毛層を、ベース部２ｃの外周面における植毛層より植毛密度が低く形成してもよい。
【００５２】
図示しないが、凹部２１ｃには植毛されていなくてもよい。例えば、静電植毛工程で、凹部２１ｃをマスキングすることにより、凹部２１ｃに植毛されないようにすることができる。この場合、外収容部１２ｃは、凹部２１ｃだけで構成される。
【００５３】
耳清掃具１ｃは、さらに、外収容部１２ｃを有することで、耳垢を収容して外耳道から運び出すことができる。
【００５４】
＜実施形態４＞
図６及び図７は、実施形態４に係る耳清掃具１ｄを説明するため図である。耳清掃具１ｄは、ベース部２ｄが実施形態２に係る耳清掃具１ｂと異なる。以下では、上記実施例と同様な構成については、説明を省略する。
【００５５】
ベース部２ｄは、図示のように、長手方向に直交する断面が略楕円形状である板状に形成されるとともに、板厚方向に貫通する穴部２２ｄが設けられる。穴部２２ｄは、適宜な大きさ、形状とすることができる。例えば、図示のように、長手方向に長い形状とすることができる。なお、図７に示すように、ベース部２ｄの厚みや後述する内収容部の形状は、適宜設定することができる。
【００５６】
本実施形態では、図７に示すように、直接耳に接触して耳垢を清掃するための清掃部１０ｄは、耳垢を掃き出す掃出部１１ｄと、耳垢を収容する内収容部１３ｄを含む。掃出部１１ｄは、ベース部２ｄの外周面における植毛層によって構成される。内収容部１３ｄは、穴部２２ｄによって構成される。穴部２２ｄには、図示のように植毛されていない、またはベース部２２ｄの外周の植毛層より植毛の密度が低いものであってもよい。
【００５７】
耳清掃具１ｃは、さらに、内収容部１３ｄを有することで、耳垢を収容して外耳道から運び出すことができる。言い換えれば、耳清掃具１ｃを用いれば、その外周を、外耳道の壁を擦るように回転させることで、外耳道の表面に付着した耳垢を剥し落すとともに、その内周に耳垢を集めて内収容部１３ｄに収容することができる。
【００５８】
＜実施形態５＞
図８は、実施形態５に係る耳清掃具１ｅを説明するための図である。耳清掃具１ｅは、ベース部２ｅが穴部２２ｅを含む点が、実施形態３に係る耳清掃具１ｃと異なる。以下では、上記実施例と同様な構成については、説明を省略する。
【００５９】
ベース部２ｅは、図示のように、厚み方向に貫通する穴部２２ｅが設けられる。穴部２２ｅは、図示のように、長手方向に長い形状であることが好ましい。
【００６０】
本実施形態では、直接耳に接触して耳垢を清掃するための清掃部１０ｅは、耳垢を掃き出す掃出部１１ｃと、耳垢を収容する外収容部１２ｅと、耳垢を収容する内収容部１３ｅを含む。ここでは、外収容部１２ｅに一時的に集められた耳垢の多くは、内収容部１３ｅにさらに集められる。内収容部１３ｅは、穴部２２ｅによって構成される。穴部２２ｅには、図示のように植毛されていない、またはベース部２ｅの外周の植毛層より植毛の密度が低いものであってもよい。
【００６１】
耳清掃具１ｅは、さらに、外収容部１２ｃ及び内収容部１３ｄを有することで、耳垢を確実に収容して外耳道から運び出すことができる。
【００６２】
本実施形態では、図示のように、耳清掃具１ｅは、柄部を含まないで構成される。また、支持部３は、柄部と係合する必要がないため、支持部側係合部３１を含まない。なお、支持部３は、作業に適合した適宜な大きさで形成することができる。
【００６３】
＜実施形態６＞
図９〜図１１は、実施形態６に係る耳清掃具１ｆを説明するための図である。耳清掃具１ｆは、ベース部２ｆが実施形態２に係る耳清掃具１ｂと異なる。以下では、上記実施例と同様な構成については、説明を省略する。
【００６４】
ベース部２ｆは、図示のように、長手方向に伸びる複数のリブ２３ｆが設けられる。隣り合うリブ２３ｆの間には、長手方向に伸びる溝部２４ｆが形成される。なお、ここでは、４つのリブ２３ｆが設けられる例を図示しているが、３つであってもよいし、５つ、６つ等であってもよい。ベース部２ｆの最大幅ｍは、２．５ｍｍ〜４ｍｍであり、より好ましくは、３ｍｍ〜３．５ｍｍである。ベース部２ｆの長手方向の長さは、５ｍｍ〜１５ｍｍであり、より好ましくは、６ｍｍ〜１０ｍｍである。
【００６５】
また、リブ２３ｆは、図１０（ａ）に示すように断面が略矩形に形成されてもよいし、図１０（ｂ）に示すように断面が円弧状に形成されてもよいし、図１０（ｃ）に示すように断面が爪状に形成されてもよい。また、図１０（ａ）及び図１０（ｂ）に示すように、リブ２３ｆは、左右対称に形成されてもよいし、図１０（ｃ）に示すように左右非対称に形成されてもよい。また、複数のリブ２３ｆは、同形状であってもよいし、異なる形状であってもよい。
【００６６】
本実施形態では、直接耳に接触して耳垢を清掃するための清掃部１０ｆは、耳垢を掃き出す掃出部１１ｆと、耳垢を収容する外収容部１２ｆを含む。掃出部１１ｆは、リブ２３ｆの外周面における植毛層によって構成される。外収容部１２ｆは、溝部２４ｆ及び溝部２４ｆにおける植毛層によって構成される。
【００６７】
また、図１１に示すように溝部２４ｆには植毛されていなくてもよいし、または外周の植毛層より植毛の密度が低いものであってもよい。例えば、静電植毛工程で、溝部をマスキングすることにより、溝部２４ｆに植毛されないようにすることができる。この場合、外収容部１２ｆは、溝部２４ｆだけで構成される。
【００６８】
耳清掃具１ｆは、さらに、複数の外収容部１２ｆを有することで、耳垢を収容して外耳道から運び出すことができる。また、耳清掃の際に、柄部を回すだけで、複数のリブにおける植毛層の繊維に捕捉された耳垢を容易に外収容部１２ｆに集めることができる。
【００６９】
＜実施形態７＞
図１２及び図１３は、実施形態７に係る耳清掃具１ｇを説明するための図である。耳清掃具１ｇは、ベース部２ｇが穴部２２ｇを含む点が、実施形態６に係る耳清掃具１ｆと異なる。以下では、上記実施例と同様な構成については、説明を省略する。
【００７０】
穴部２２ｇは、一例として、複数の溝部２４ｆの底部の一部が貫通して一つの共通の穴となるように設けられる。好ましくは、図示のように、穴部２２ｇは、ベース部２ｇの中心部において長手方向に縦長に形成される。
【００７１】
本実施形態では、直接耳に接触して耳垢を清掃するための清掃部１０ｇは、耳垢を掃き出す掃出部１１ｆと、耳垢を収容する外収容部１２ｇと、耳垢を収容する内収容部１３ｇを含む。掃出部１１ｆは、リブ２３ｆの外周面における植毛層によって構成される。外収容部１２ｇは、溝部２４ｆ及び溝部２４ｆにおける植毛層によって構成される。内収容部１３ｇは、穴部２２ｇによって構成される。ここでは、外収容部１２ｇに一時的に集められた耳垢の多くは、内収容部１３ｇにさらに集められる。なお、ここでは、穴部２２ｇは長い一つの穴として説明したが、複数の穴を形成してもよい。また、穴部２２ｇには、図示のように植毛されていない、またはベース部２ｇの外周の植毛層より植毛の密度が低いものであってもよい。
【００７２】
耳清掃具１ｇは、さらに、外収容部１２ｇ及び内収容部１３ｇを有することで、耳垢を確実に収容して外耳道から運び出すことができる。
【００７３】
以上、本発明に係る耳清掃具の実施形態について説明したが、これらは本発明の実施形態の一例に過ぎず、本発明はこれらに限定されるものではない。本発明には、以上の各実施形態を組み合わせた形態や、様々な変形例が含まれる。
【符号の説明】
【００７４】
１、１ａ、１ｂ、１ｃ、１ｄ、１ｅ、１ｆ、１ｇ  耳清掃具
１０、１０ｂ、１０ｃ、１０ｄ、１０ｅ、１０ｆ、１０ｇ  清掃部
１１ｃ、１１ｄ、１１ｆ                        掃出部
１２ｃ、１２ｅ、１２ｆ、１２ｇ                外収容部
１３ｄ、１３ｅ、１３ｇ                        内収容部
２、２ａ、２ｂ、２ｃ、２ｄ、２ｅ、２ｆ、２ｇ  ベース部
２１ｃ                                        凹部
２２ｄ、２２ｅ、２２ｇ                        穴部
２３ｆ                                        リブ
２４ｆ                                        溝部
３、３ａ                                      支持部
４、４ａ                                      柄部
５、５ａ、５ｂ、５ｃ、５ｆ                    植毛層
【図１】
2018086213.tif 000003
【図２】
2018086213.tif 000004
【図３】
2018086213.tif 000005
【図４】
2018086213.tif 000006
【図５】
2018086213.tif 000007
【図６】
2018086213.tif 000008
【図７】
2018086213.tif 000009
【図８】
2018086213.tif 000010
【図９】
2018086213.tif 000011
【図１０】
2018086213.tif 000012
【図１１】
2018086213.tif 000013
【図１２】
2018086213.tif 000014
【図１３】
2018086213.tif 000015
【手続補正書】
【提出日】平成29年4月3日(2017.4.3)
【手続補正１】
【補正対象書類名】特許請求の範囲
【補正対象項目名】全文
【補正方法】変更
【補正の内容】
【特許請求の範囲】
【請求項１】
耳を清掃するための清掃部を有する耳清掃具であって、
ベース部と、
前記ベース部の少なくとも一部に複数の繊維が静電植毛されて形成される植毛層と、を含み、
前記清掃部は、前記ベース部及び前記植毛層により構成され、
前記清掃部は、外収容部を含み、
前記ベース部は、外周面が凹下して形成される凹部を含み、
前記外収容部は、前記凹部及び前記凹部における前記植毛層により構成され、
前記凹部における前記植毛層は、前記ベース部の外周面における前記植毛層より植毛密度が低い
ことを特徴とする耳清掃具。
【請求項２】
請求項１に記載の耳清掃具であって、
前記清掃部は、掃出部を含み、
前記掃出部は、前記ベース部の外周面における前記植毛層により構成される
ことを特徴とする耳清掃具。
【請求項３】
耳を清掃するための清掃部を有する耳清掃具であって、
ベース部と、
前記ベース部の少なくとも一部に複数の繊維が静電植毛されて形成される植毛層と、を含み、
前記清掃部は、前記ベース部及び前記植毛層により構成され、
前記清掃部は、複数の外収容部を含み、
前記ベース部は、長手方向に伸びる複数のリブが設けられ、隣り合う前記リブの間に長手方向に伸びる溝部が形成され、
複数の前記外収容部は、複数の前記溝部及び前記溝部における前記植毛層により構成され、
前記溝部における前記植毛層は、前記リブにおける前記植毛層より植毛密度が低い
ことを特徴とする耳清掃具。
【請求項４】
耳を清掃するための清掃部を有する耳清掃具であって、
ベース部と、
前記ベース部の少なくとも一部に複数の繊維が静電植毛されて形成される植毛層と、を含み、
前記清掃部は、前記ベース部及び前記植毛層により構成され、
前記清掃部は、複数の外収容部を含み、
前記ベース部は、長手方向に伸びる複数のリブが設けられ、隣り合う前記リブの間に長手方向に伸びる溝部が形成され、
複数の前記外収容部は、植毛されていない複数の前記溝部により構成される
ことを特徴とする耳清掃具。
【請求項５】
耳を清掃するための清掃部を有する耳清掃具であって、
ベース部と、
前記ベース部の少なくとも一部に複数の繊維が静電植毛されて形成される植毛層と、を含み、
前記清掃部は、前記ベース部及び前記植毛層により構成され、
前記清掃部は、内収容部を含み、
前記ベース部は、穴部を含み、
前記内収容部は、前記ベース部の前記穴部及び前記穴部における前記植毛層により構成され、
前記穴部における前記植毛層は、外周面における前記植毛層より植毛密度が低い
ことを特徴とする耳清掃具。
【請求項６】
耳を清掃するための清掃部を有する耳清掃具であって、
ベース部と、
前記ベース部の少なくとも一部に複数の繊維が静電植毛されて形成される植毛層と、を含み、
前記清掃部は、前記ベース部及び前記植毛層により構成され、
前記清掃部は、内収容部を含み、
前記ベース部は、穴部を含み、
前記内収容部は、植毛されていない前記穴部により構成される
ことを特徴とする耳清掃具。
【請求項７】
耳を清掃するための清掃部を有する耳清掃具であって、
ベース部と、
前記ベース部の少なくとも一部に複数の繊維が静電植毛されて形成される植毛層と、を含み、
前記清掃部は、前記ベース部及び前記植毛層により構成され、
前記ベース部における前記植毛層は、長さが異なる２種類以上の繊維が植毛されて形成される
ことを特徴とする耳清掃具。
【請求項８】
耳を清掃するための清掃部を有する耳清掃具であって、
ベース部と、
前記ベース部の少なくとも一部に複数の繊維が静電植毛されて形成される植毛層と、を含み、
前記清掃部は、前記ベース部及び前記植毛層により構成され、
前記耳清掃具は、さらに、前記ベース部を支持する支持部を含み、
前記支持部には、植毛領域を区画するための段差部が設けられる
ことを特徴とする耳清掃具。
【請求項９】
請求項１〜８のいずれか一項に記載の耳清掃具であって、
前記耳清掃具は、さらに、柄部を含む
ことを特徴とする耳清掃具。
【手続補正書】
【提出日】平成29年9月5日(2017.9.5)
【手続補正１】
【補正対象書類名】特許請求の範囲
【補正対象項目名】全文
【補正方法】変更
【補正の内容】
【特許請求の範囲】
【請求項１】
耳を清掃するための清掃部を有する耳清掃具であって、
ベース部と、
前記ベース部の少なくとも一部に複数の繊維が静電植毛されて形成される植毛層と、を含み、
前記清掃部は、前記ベース部及び前記植毛層により構成され、
前記清掃部は、外収容部を含み、
前記ベース部は、外周面が凹下して形成される凹部を含み、
前記外収容部は、前記凹部及び前記凹部における前記植毛層により構成され、
前記凹部における前記植毛層は、前記ベース部の外周面における前記植毛層より植毛密度が低い
ことを特徴とする耳清掃具。
【請求項２】
請求項１に記載の耳清掃具であって、
前記清掃部は、掃出部を含み、
前記掃出部は、前記ベース部の外周面における前記植毛層により構成される
ことを特徴とする耳清掃具。
【請求項３】
耳を清掃するための清掃部を有する耳清掃具であって、
ベース部と、
前記ベース部の少なくとも一部に複数の繊維が静電植毛されて形成される植毛層と、を含み、
前記清掃部は、前記ベース部及び前記植毛層により構成され、
前記清掃部は、複数の外収容部を含み、
前記ベース部は、長手方向に伸びる複数のリブが設けられ、隣り合う前記リブの間に長手方向に伸びる溝部が形成され、
複数の前記外収容部は、複数の前記溝部及び前記溝部における前記植毛層により構成され、
前記溝部における前記植毛層は、前記リブにおける前記植毛層より植毛密度が低い
ことを特徴とする耳清掃具。
【請求項４】
耳を清掃するための清掃部を有する耳清掃具であって、
ベース部と、
前記ベース部の少なくとも一部に複数の繊維が静電植毛されて形成される植毛層と、を含み、
前記清掃部は、前記ベース部及び前記植毛層により構成され、
前記清掃部は、複数の外収容部を含み、
前記ベース部は、長手方向に伸びる複数のリブが設けられ、隣り合う前記リブの間に長手方向に伸びる溝部が形成され、
複数の前記外収容部は、植毛されていない複数の前記溝部により構成される
ことを特徴とする耳清掃具。
【請求項５】
耳を清掃するための清掃部を有する耳清掃具であって、
ベース部と、
前記ベース部の少なくとも一部に複数の繊維が静電植毛されて形成される植毛層と、を含み、
前記清掃部は、前記ベース部及び前記植毛層により構成され、
前記清掃部は、内収容部を含み、
前記ベース部は、穴部を含み、
前記内収容部は、前記ベース部の前記穴部及び前記穴部における前記植毛層により構成され、
前記穴部における前記植毛層は、外周面における前記植毛層より植毛密度が低い
ことを特徴とする耳清掃具。
【請求項６】
耳を清掃するための清掃部を有する耳清掃具であって、
ベース部と、
前記ベース部の少なくとも一部に複数の繊維が静電植毛されて形成される植毛層と、を含み、
前記清掃部は、前記ベース部及び前記植毛層により構成され、
前記清掃部は、内収容部を含み、
前記ベース部は、穴部を含み、
前記内収容部は、植毛されていない前記穴部により構成される
ことを特徴とする耳清掃具。
【請求項７】
耳を清掃するための清掃部を有する耳清掃具であって、
ベース部と、
前記ベース部の少なくとも一部に複数の繊維が静電植毛されて形成される植毛層と、を含み、
前記清掃部は、前記ベース部及び前記植毛層により構成され、
前記耳清掃具の先端の前記ベース部における前記植毛層は、長さが異なる２種類以上の繊維が混在して静電植毛されて形成される
ことを特徴とする耳清掃具。
【請求項８】
耳を清掃するための清掃部を有する耳清掃具であって、
ベース部と、
前記ベース部の少なくとも一部に複数の繊維が静電植毛されて形成される植毛層と、を含み、
前記清掃部は、前記ベース部及び前記植毛層により構成され、
前記耳清掃具は、さらに、前記ベース部を支持する支持部を含み、
前記支持部には、植毛領域を区画するための段差部が設けられる
ことを特徴とする耳清掃具。
【請求項９】
請求項１〜８のいずれか一項に記載の耳清掃具であって、
前記耳清掃具は、さらに、柄部を含む
ことを特徴とする耳清掃具。